(57)【特許請求の範囲】
【請求項１】
本体部と、
この本体部から引き出し可能に設けられ、伝送信号によって駆動される画像表示部と、
この画像表示部が上記本体部から引き出される量である引き出し量を検出する引き出し量検出手段と、
上記本体部に設けられ、上記画像表示部に出力する上記伝送信号を上記引き出し量に応じて、上記本体部に一部が格納された上記画像表示部の他部に画像表示が行われるように制御する表示制御処理手段と、
を備えたことを特徴とする格納式表示装置。
【請求項２】
上記画像表示部は、変形することを特徴とする請求項１に記載の格納式表示装置。
【請求項３】
上記画像表示部は、可撓性を有することを特徴とする請求項２に記載の格納式表示装置。
【請求項４】
上記表示制御処理手段が、上記画像表示部の検出された引き出し量に従って上記画像表示部に表示させるキャラクタの大きさを設定することを特徴とする請求項１に記載の格納式表示装置。
【請求項５】
上記表示制御処理手段が、上記画像表示部の検出された引き出し量に従って上記画像表示部に表示させる画像の表示方向を設定することを特徴とする請求項１に記載の格納式表示装置。
【発明の詳細な説明】
【０００１】
【発明の属する技術分野】
この発明は、表示部を本体に格納可能な携帯性に優れた格納式表示装置に関する。
【０００２】
【従来の技術】
近年の画像表示装置を持ったコンピュータ等の携帯端末装置は小型化が進み、Ａ５版程度のサイズで携帯性に優れた装置も製品化されている。ところで、画像駆動部であるコンピュータ本体を小型化し携帯性を高めようとした時、画像表示部自身もコンピュータ本体にあわせて小型化しなければならず、その結果、今までと同じ情報量を表示しようとした場合に、画像表示部上に表示される画像を小さくしなければならず、画像表示部上の画像が非常に見にくくなってしまう。これを解決しようとする方策として、例えば特開平４−１１０８８７号公報に開示された従来の格納式表示装置がある。
【０００３】
図１１は特開平４−１１０８８７号公報に開示された従来の格納式の表示装置の構成を示す図である。図において、１はキーボードスイッチ、２はコンピュータ等のボディー(本体部)である画像駆動部、４は格納部、６は画像表示部、７は画像表示部６を掛ける例えば壁、８は画像駆動部２と画像表示部６を電気的に接続するためのコードである。
【０００４】
図１１に示すように、使用時には画像表示部６を壁７等に掛けて表示を行い、携帯時には、画像表示部６を湾曲変形可能として画像駆動部２内に設けられた格納部４に格納することにより、画像駆動部２本体の大きさに係わらず、画像を表示するのに十分な表示面積を持った画像表示部６を提供するものである。
【０００５】
【発明が解決しようとする課題】
以上のように構成された従来の格納式表示装置では、画像駆動部すなわち装置本体の携帯時には画像表示部を本体部の格納部に格納するが、使用時には画像表示部を装置の本体部から取り出し、壁等に取り付けて使用する方法を採っているため、使用時の携帯性が損なわれるという問題点があった。
【０００６】
この発明は、上記のような課題を解消するためになされたもので、非使用時のみならず使用時の携帯性にも優れた格納式表示装置を提供することを目的とする。
【０００７】
【課題を解決するための手段】
上記の目的に鑑み、この発明は、本体部と、この本体部から引き出し可能に設けられ、伝送信号によって駆動される画像表示部と、この画像表示部が上記本体部から引き出される量である引き出し量を検出する引き出し量検出手段と、上記本体部に設けられ、上記画像表示部に出力する上記伝送信号を上記引き出し量に応じて、上記本体部に一部が格納された上記画像表示部の他部に画像表示が行われるように制御する表示制御処理手段とを備えたことを特徴とする格納式表示装置にある。
また、上記画像表示部は、変形することを特徴とする。
また、上記画像表示部は、可撓性を有することを特徴とする。
【００１２】
またこの発明は、上記表示制御処理手段が、上記画像表示部の検出された引き出し量に従って上記画像表示部に表示させるキャラクタの大きさを設定することを特徴とする格納式表示装置にある。
【００１３】
またこの発明は、上記表示制御処理手段が、上記画像表示部の検出された引き出し量に従って上記画像表示部に表示させる画像の表示方向を設定することを特徴とする格納式表示装置にある。
【００１４】
【発明の実施の形態】
以下、この発明の各実施の形態による格納式表示装置を、特に画像表示部の一部が本体部に設けられた格納部内に格納されたままの状態で使用される場合について図面を参照しながら説明する。
【００１５】
実施の形態１．
図１はこの発明の一実施の形態による格納式表示装置の使用状態を示す透視斜視図、図２および図３は図１の表示装置の特に格納部の例をそれぞれ示す斜視図である。また、図４は図１の表示装置の画像情報の表示例、図５は画像表示部の格納状態を示す側面透視図である。従来のものと同一もしくは相当部分は同一符号で示す。
【００１６】
各図において、１はキーボード、２０はコンピュータ等のボディーである本体部(画像駆動部)、４は格納部、４ａは画像表示部の出入り口となる開口部(図２参照)、４ｂは画像表示部を導くガイド(図３参照)、６は画像表示部、１１は画像表示領域(図４参照)、１７は摩擦により画像表示部６の出し入れを制するローラ、１９は画像表示部６を支持する支持部、２２は画像表示部６の出し入れを容易にする取っ手である。なお、画像表示部６は本体部２０内で、演算処理素子やメモリ素子等から構成される電気部品部分とコード(共に図示せず)等により電気的に接続されている。なお上記電気部品部分の一部が表示制御処理手段(図６の３０参照)を構成し、内蔵するプログラム(図示せず)および使用者等によりキーボード１から供給される信号に従って動作する。
【００１７】
上面に操作部であるキーボード１を備えた携帯端末等の本体部２０には、後述する可撓性を有する変形可能な画像表示部６の格納を行う格納部４が設けられている。格納部４は図２に示すように挿入口となる開口部４ａを持ち、画像表示部６全体または一部が格納可能なケース状のものであってもよいし、図３に示すように画像表示部６が移動し易いようなガイド４ｂを備えたものでもよい。
【００１８】
画像表示部６は変形が可能なように例えば可撓性を有する液晶ディスプレイ等により構成される。また、画像表示部６には取っ手２２が接合されており、さらにこの取っ手２２に支持部１９が備わっている。支持部１９は本体部２０に格納可能で、画像表示部６の移動方向に伸縮可能な構成になっている。また、取っ手２２は画像表示部６を格納部４に引き出したり押し入れたりするのに用いる他に、画像表示部６の補強としても効果がある。また、本体部２０の内側にはローラー１７が設けられており摩擦により画像表示部６の移動を制する。
【００１９】
また、画像表示部６と本体部２０内の上述の表示制御処理手段とはコード(共に図示せず)により接続されており、この表示制御処理手段より出力される画像駆動信号がコードを通じて画像表示部６に伝わり、画像表示部６の画像が制御されるため、利用者が必要に応じて画像表示部６を引き出して使うことが可能になる。
【００２０】
この実施の形態においては、図４の(ａ)に示すように画像情報に対して画像表示領域１１が狭く、画像情報の一部が表示されず、十分な表示が行えない場合には、使用者がキーボード１を操作して表示に関する指示を与えることで、例えば図４の(ｂ)に示すように、表示する情報の表示方向(行方向と列方向)が変更され、画像情報を十分に表示することが可能となる。また、特に画像情報が文字や記号等のキャラクタである場合にはキャラクタの大きさをキーボード１から指示して画像表示領域１１の大きさに合わせて変えるようにしてもよい。
【００２１】
次に、本体部２を携帯する時など画像表示部６を使用しない時は、図５に示すように、例えば取っ手２２を本体部２０内に手動で押し込むようにすることで、あるいはモータ(図示せず)を使用した動力を内蔵させて電動で画像表示部６を格納部４に格納すればよい。
【００２２】
実施の形態２．
図６はこの発明の別の実施の形態による格納式表示装置の構成を機能的に示したブロック図である。基本的な構造は図１ないし図５に示した上述の実施の形態のものと同じであるが、この実施の形態では画像表示部の引き出し量を検出するための引き出し量検出手段を設けた。
【００２３】
図６において、９が画像表示部６の引き出し量を検出するための引き出し量検出部であり、操作部であるキーボード１と共に表示制御処理部３０に接続されている。表示制御処理部３０の出力は、コード８を介して画像表示部６に供給される。そして引き出し量検出部９より得られる画像表示部６の引き出し量信号１０から表示制御処理部３０により表示領域の制御を受けた画像駆動信号がコード８を通じて画像表示部６に伝わり、画像表示部６のうち実際に表示領域として用いられる領域に収まるように制御された画像情報が表示される。
【００２４】
図７には引き出し量検出部９の一例を示す。図７においては、画像表示部６の画像表示領域１１でない、例えば画像表示部６の移動方向に沿った両側の一方の縁の非画像表示領域１２に一定間隔で凹部１８を設け、それを発光部１３および受光部１４からなる検出部９ａで検出することにより、画像表示部６の引き出し量もしくは格納量を知ることができる。引き出し量もしくは格納量の検出精度は凹部１８の大きさ、数により、装置に適した大きさ、数を設けることにより的確な検出が可能となる。図７において、凹部１８の代わりに光反射率の異なる部材を埋め込むもしくは貼り付けても同じ効果が得られる。
【００２５】
また、図８には引き出し量検出部９の別の例を示す。図８においては、画像表示部６を移動させるための歯車１５に設けられた検出穴１６を図７と同様の発光部１３および受光部１４を備えた検出部９ａにより検出し、表示制御処理部３０において計数することで歯車１５が動いた角度を検出可能となり、画像表示部６の引き出し量もしくは格納量を知ることができる。検出穴１６を十分多く備えれば検出量の精度もよくなる。また検出穴１６の代わりに光反射率のことなる材料を用いたシール状のものを用いてもよい。
【００２６】
次に、引き出し量検出部９により得られた引き出し量信号１０に従って表示制御処理部３０が画像表示部６に表示させる画像情報を制御する方法について図９を参照して説明する。
【００２７】
通常、表示制御処理部３０は表示対象となるＬＣＤ等の画像表示部６の表示領域１１に応じて画像情報を制御している。例えば図９に示すように、表示対象の表示領域１１に対して２０文字１０行の情報を表示させようとする場合は、１行２０文字である旨の情報により２０文字目(１６進数：００１３)の次の文字で改行となるように文字情報の配置位置を制御しながら順次配置していく。そして１０行である旨の情報と併せて２００文字(１６進数：００Ｃ７)の表示をもって１頁の表示という認識を行い、キーボード１による頁送り等の操作に対応する。従来の表示装置においては、表示領域１１は常に一定であるため、上述の２０文字×１０行といったような表示制御は予め定められた情報により行われている。
【００２８】
この実施の形態においては、上述したような表示制御に用いられる情報を引き出し量信号１０として引き出し量検出部９により得ることが可能であるため、格納部４より引き出されている画像表示部６の表示領域１１の大きさに応じて表示制御処理部３０により画像情報を画像表示部６に伝え、画像表示することが可能となる。
【００２９】
実施の形態３．
またこの実施の形態では、画像表示部６の一部が表示制御処理部３０に設けられた格納部４に格納された状態で、残りの表示領域１１に応じて表示する画像情報を制御する場合について説明する。
【００３０】
格納式表示装置において、任意に設定された画像表示部６の表示領域１１に応じて例えば、図１０の(ａ)に示すように１文字２４ドット×２４ドットとした場合の６文字×６行分を１頁としてキーボード１により行送り、頁送り等の制御をしてもよいし、図１０の(ｂ)に示すように１文字のドット数を１２ドット×１２ドットと小さくして１２文字×１２行分を１頁としてもよい。
【００３１】
上述したような文字ドット数の選択は、表示される表示領域１１(例えば上述の実施の形態の使用者がキーボード１を用いて指定した画像表示部の引き出し量、あるいは引き出し量検出部９で検出された画像表示部の引き出し量)に応じて予め設定された情報に従って表示制御処理部３０(図６参照)で行うようにしてもよいし、使用者がキーボード１を用いて選択した文字フォント情報に従って表示制御処理部３０が行ってもよい。この場合には、複数の文字フォントデータを表示制御処理部３０が保有している必要がある。また、文字フォントを変えるのではなく表示領域１１に応じて図４に示したように、行方向と列方向を変えて表示することも可能である。
【００３２】
【発明の効果】
以上のようにこの発明では、本体部と、この本体部から引き出し可能に設けられ、伝送信号によって駆動される画像表示部と、この画像表示部が上記本体部から引き出される量である引き出し量を検出する引き出し量検出手段と、上記本体部に設けられ、上記画像表示部に出力する上記伝送信号を上記引き出し量に応じて、上記本体部に一部が格納された上記画像表示部の他部に画像表示が行われるように制御する表示制御処理手段と、を備えたことを特徴とする格納式表示装置としたので、画像表示部の一部が格納されたままの状態でも画像の表示を行えるようにしたので、非使用時だけでなく使用時にも携帯性を損なうことがなく、特に検出された画像表示部の引き出し量に従って自動で画像表示部の画像表示領域への表示が行え使用可能な表示領域に応じて画像を見やすく表示させる格納式表示装置を得ることができる。
【００３３】
またこの発明では、使用者による表示制御に関する指示が入力される操作部をさらに備え、上記表示制御処理手段が上記操作部からの信号に従って表示を行うようにしたので、使用者から画像表示領域等の指示を行いこれに従った画像表示部への表示が行える格納式表示装置を得ることができる。
【００３４】
またこの発明では、さらに上記操作部からの信号が上記画像表示部に表示させるキャラクタの大きさを指示するものとしたので、画像表示部の画像表示領域の広さに従ってキャラクタの大きさが変えられ使用可能な表示領域に応じて画像を見やすく表示させる格納式表示装置を得ることができる。
【００３５】
またこの発明では、さらに上記操作部からの信号が上記画像表示部に表示させる画像の表示方向を指示するものとしたので、画像表示部の画像表示領域の広さに従って画像の表示方向が変えられ使用可能な表示領域に応じて画像を見やすく表示させる格納式表示装置を得ることができる。
【００３７】
またこの発明では、上記表示制御処理手段が、上記画像表示部の検出された引き出し量に従って上記画像表示部に表示させるキャラクタの大きさを設定するものとしたので、画像表示部の画像表示領域の広さに従ってキャラクタの大きさが自動で変えられ使用可能な表示領域に応じて画像を見やすく表示させる格納式表示装置を得ることができる。
【００３８】
またこの発明では、上記表示制御処理手段が、上記画像表示部の検出された引き出し量に従って上記画像表示部に表示させる画像の表示方向を設定するものとしたので、画像表示部の画像表示領域の広さに従って表示させる画像の表示方向が自動で変えられ使用可能な表示領域に応じて画像を見やすく表示させる格納式表示装置を得ることができる。
【図面の簡単な説明】
【図１】  この発明の一実施の形態による格納式表示装置の使用状態を示す透視斜視図である。
【図２】  図１の表示装置の特に格納部の一例を示す斜視図である。
【図３】  図１の表示装置の特に格納部の別の例を示す斜視図である。
【図４】  図１の表示装置の画像情報の表示例を示す図である。
【図５】  図１の画像表示部の格納状態を示す側面透視図である。
【図６】  この発明の別の実施の形態による格納式表示装置の構成を機能的に示したブロック図である。
【図７】  図６の引き出し量検出部９の一例を示す図である。
【図８】  図６の引き出し量検出部９の別の例を示す図である。
【図９】  この発明の表示制御処理部が画像表示部に表示させる画像情報を制御する方法を説明するための図である。
【図１０】  この発明の表示制御処理部が画像表示部に表示させる画像情報を制御する別の方法を説明するための図である。
【図１１】  従来の格納式の表示装置の構成を示す図である。
【符号の説明】
１  キーボード(操作部)、２  画像駆動部、４  格納部、４ａ  開口部、４ｂガイド、６  画像表示部、８  コード、９  引き出し量検出部、９ａ  検出部、１０  引き出し量信号、１１  画像表示領域、１２  非画像表示領域、１３  発光部、１４  受光部、１５  歯車、１６  検出穴、１７  ローラー、１８  凹部、１９  支持部、２０  本体部、２２  取っ手、３０  表示制御処理部。
【図１】
0004020171.tif 000002
【図２】
0004020171.tif 000003
【図３】
0004020171.tif 000004
【図４】
0004020171.tif 000005
【図５】
0004020171.tif 000006
【図６】
0004020171.tif 000007
【図７】
0004020171.tif 000008
【図８】
0004020171.tif 000009
【図９】
0004020171.tif 000010
【図１０】
0004020171.tif 000011
【図１１】
0004020171.tif 000012